(57)【要約】【課題】  画像データを利用しやすい形で合理的に分類、整理してユーザに提供する。プラント監視における報告書等の画像データを含む目的画面を容易に作成可能とする。【解決手段】  画面表示部１は、画面情報格納部１０２に格納されている画面情報を参照して表示装置１０８に画面表示する。画面情報は、トレンドグラフ、一覧表示、サマリ画面等の表示形式の画面を特定する情報や画面中で表示されるデータグループ等の補助情報を含む。画像記録部１０３は、表示している画面のハードコピー画像を取り込み、画面の表示イメージの画像データとして画像データ格納部１０４に保存する。識別子指定部１０５は、個々の画像データを識別する識別子を指定し、識別子を含む情報を、画像データを示す識別情報として識別情報格納部１０６に保存する。画像検索部１０７は、識別情報に基づいて画像データ格納部１０４に保存された画像データを検索する。【選択図】  図１
2005301836.tif 000002
【特許請求の範囲】
【請求項１】
周期的または常態的に取得される電子データを特定の表示形式で表現する画像データを蓄積する画像蓄積装置において、
ユーザからの指示または予め設定された画像記録設定情報に基づいて指定される画面の表示イメージを画像データとして記録する画像記録部と、
前記画像データを格納する画像データ格納部と、
前記画像データを記録する際に、ユーザからの指示または予め設定された識別子設定情報に基づいて個々の画像データ毎にこの画像データを識別する識別子を指定する識別子指定部と、
前記個々の画像データ毎に、前記識別子を含む情報をその画像データを示す識別情報として格納する識別情報格納部と、
ユーザからの指示または予め設定された画像検索設定情報に基づいて指定される検索条件に従い、前記識別情報に基づいて前記画像データを検索する画像検索部、
を備えたことを特徴とする画像蓄積装置。
【請求項２】
前記画像記録設定情報として、記録する画像データを指定する画像指定情報とその画像データを記録するトリガーとなる事象に関するトリガー情報を設定する自動記録設定部と、
前記画像記録設定情報を格納する自動記録設定情報格納部と、
前記トリガーとなる事象が発生した場合に、前記画像記録設定情報に基づいて、その前記画像指定情報により指定される前記画像データを記録するか否かを判定する自動記録判定部、
を備えたことを特徴とする請求項１に記載の画像蓄積装置。
【請求項３】
前記画像データを再生表示するための情報として、再生する画像データを指定する画像条件、再生順、個々の画像データの表示周期、を含む画像再生設定情報を設定する画像再生設定部と、
前記画像再生設定情報を格納する画像再生設定情報格納部と、
前記画像再生設定情報に基づいて、その前記画像条件により複数の前記画像データが指定される場合には、それらの複数の画像データを、前記再生順でかつ個々の画像データの前記表示周期により周期的に再生表示する画像再生部、
を備えたことを特徴とする請求項１または請求項２に記載の画像蓄積装置。
【請求項４】
時刻と関連付けられた電子データを特定の表示形式で表現する画像データを含む目的画面の作成を支援する画面作成支援装置において、
請求項１乃至請求項３のいずれかに記載の画像蓄積装置と、
前記目的画面の種別毎に、画面形式情報として、画面作成用の基本フォーマット画面、画面中に貼り付ける前記画像データの種別および貼り付け位置に関する情報を格納する画面形式情報格納部と、
ユーザからの指示に基づいて前記目的画面が指定された場合に、前記画面形式情報に基づいて、当該目的画面の前記基本フォーマット画面を表示し、ユーザからの指示に基づいて編集する画面作成支援部と、
編集中の前記目的画面に対し、ユーザからの指示または前記画面形式情報に基づいて指定される前記画像データを取り込む画像取込部、
を備えたことを特徴とする画面作成支援装置。
【請求項５】
前記画像蓄積装置の前記画像記録部は、前記画像データとして、監視対象となるプラントに関するデータを示す画面の表示イメージを記録するように構成され、
前記画像データの記録と並行的に、前記プラントから得られるプロセス値をその画像データに関連付けて保存するプラントデータ保存部と、
前記プロセス値を格納するプラントデータ格納部と、
編集中の前記目的画面に対し、前記画像データの取込と並行的に、ユーザからの指示または前記画面形式情報に基づいて、その画像データと関連付けられた前記プロセス値を読み込むプラントデータ読込部、
を備えたことを特徴とする請求項４に記載の画面作成支援装置。
【請求項６】
前記画面形式情報は、報告書作成用の基本フォーマット画面、報告書中に貼り付ける前記前記画像データの種別および貼り付け位置に関する情報を含み、
前記画面作成支援部は、前記報告書の前記基本画面を表示し、ユーザからの指示に基づいて編集するように構成され、
前記画像取込部は、編集中の前記報告書に対し、ユーザからの指示または前記画面形式情報に基づいて指定される前記画像データを取り込むように構成されている、
ことを特徴とする請求項４または請求項５に記載の画面作成支援装置。
【請求項７】
データを格納する格納部とデータを処理する処理部を備えた装置を用いて、周期的または常態的に取得される電子データを特定の表示形式で表現する画像データを蓄積する画像蓄積方法において、
前記処理部により、ユーザからの指示または予め設定された画像記録設定情報に基づいて指定される画面の表示イメージを画像データとして前記格納部に格納する画像記録ステップと、
前記処理部により、前記画像データを記録する際に、ユーザからの指示または予め設定された識別子設定情報に基づいて個々の画像データ毎にこの画像データを識別する識別子を指定し、この識別子を含む情報をその画像データを示す識別情報として前記格納部に格納する識別子指定ステップと、
前記処理部により、ユーザからの指示または予め設定された画像検索設定情報に基づいて指定される検索条件に従い、前記識別情報に基づいて前記画像データを検索する画像検索ステップ、
を行うことを特徴とする画像蓄積方法。
【請求項８】
データを格納する格納部とデータを処理する処理部を備えたコンピュータを制御して、周期的または常態的に取得される電子データを特定の表示形式で表現する画像データを蓄積する画像蓄積プログラムにおいて、
前記処理部により、ユーザからの指示または予め設定された画像記録設定情報に基づいて指定される画面の表示イメージを画像データとして前記格納部に格納する画像記録ステップと、
前記処理部により、前記画像データを記録する際に、ユーザからの指示または予め設定された識別子設定情報に基づいて個々の画像データ毎にこの画像データを識別する識別子を指定し、この識別子を含む情報をその画像データを示す識別情報として前記格納部に格納する識別子指定ステップと、
前記処理部により、ユーザからの指示または予め設定された画像検索設定情報に基づいて指定される検索条件に従い、前記識別情報に基づいて前記画像データを検索する画像検索ステップ、
を前記コンピュータに行わせることを特徴とする画像蓄積プログラム。
【発明の詳細な説明】
【技術分野】
【０００１】
本発明は、周期的または常態的に取得される電子データを特定の表示形式で表現する画像データを蓄積する技術に関するものであり、特に、プラント監視に関する画像データを利用しやすい形で分類、整理してユーザに提供するための技術に関する。
【背景技術】
【０００２】
従来、発電設備等のプラントにおいては、設備機器等の運転状況を監視して、各機器の運転出力や温度等の各種のパラメータのプロセス値をプラントデータとして取得し、異常の有無を判定している。このようなプラント監視技術においては、プラントの運転状況をできるだけ正確に把握するために、短い周期で周期的にプラントデータを取得し、最新のデータに基づいた現在の運転状況を、トレンドグラフ、一覧表示、サマリ画面等の複数の表示形式で画面表示している。
【０００３】
また、事故時や事故に至る前の過渡事象として、重要なパラメータのプロセス値が異常値を示した場合等の、プラントにおける各種の事象発生時には、プラント監視側で、事業者内上層部やプレス等に対して事象の状況説明や報告資料等の各種報告書を作成する必要がある。このような報告書の作成に当たっては、以前は、紙面の報告書に手書きで必要なデータ等を記入していたが、最近では、パーソナルコンピュータ（以下、ＰＣと略称する）を用いて報告書の作成を行うようになっている。
【０００４】
すなわち、近年におけるＰＣの著しい普及に伴い、プラント監視技術の分野においても、積極的にＰＣを活用するようになっており、プラントの事象挙動に関して報告書をまとめる際には、ディスプレイ等の表示装置に報告書の書式を画面表示し、マウスやキーボード等の入力操作により、表示した画面上で、電子データを用いて必要なデータの記入、貼付け等を実施するようになっている。
【０００５】
また、ＰＣの著しい普及に伴い、ＰＣ用のソフトウェアの開発も進んでおり、簡単な操作で画面のビットマップをファイルに保存して、文書内に取り込むことができるようになっている。そして、フリーウェア等の簡易なソフトウェアにおいても、画面のビットマップ採取等が簡単にできるようになっている。そのため、プラント監視技術の分野においても、報告書中に、状況表示画像、設計情報等の画像データの貼付けが必要な場合には、以前は紙の切り貼りで実施していたが、近年はＰＣ上でビットマップ処理用のソフトウェアを活用することにより、そのような画像データの貼付けについても、電子データを用いて簡単な操作だけで実施できるようになっている。
【０００６】
【特許文献１】特開平１−１７５６９７号公報
【発明の開示】
【発明が解決しようとする課題】
【０００７】
前述したように、プラントにおける事象発生時には、プラント監視側で、事業者内上層部やプレス等に対して事象の状況説明や報告資料等の各種報告書を作成する必要があり、その場合に、ＰＣの表示部に報告書の書式を画面表示し、表示した画面上で、電子データを用いて必要なデータの記入、貼付け等を実施している。しかしながら、実際のプラント事象時の混乱状態では、採取した画像データを合理的に分類、整理することができず、その結果、必要な画像データが探し出せなかったり、画像データを間違えて報告書に貼り付けてしまったりする等の問題を生じる可能性がある。
【０００８】
なお、このような問題点は、プラント監視技術の分野に限らず、各種の監視対象に関するデータを周期的または常態的に取得して画像データとして処理する各種の監視技術の分野においても同様に存在しており、さらには、監視技術の分野に限らず、周期的または常態的に取得される電子データを特定の表示形式で表現する画像データを取り扱う各種の分野においても同様に存在している。
【０００９】
本発明は、上記のような従来技術の問題点を解決するために提案されたものであり、その目的は、画像データを利用しやすい形で合理的に分類、整理してユーザに提供可能な画像蓄積装置とその方法およびプログラムを提供することである。さらに、そのような画像蓄積装置を用いて、プラント監視における報告書等の画像データを含む目的画面をユーザが容易に作成可能な画面作成支援装置を提供することも、本発明の目的の１つである。
【課題を解決するための手段】
【００１０】
本発明は、上記のような目的を達成するために、画面の表示イメージをそのまま画像データとして記録すると共に、個々の画像データの識別子を指定、格納することにより、画像データを利用しやすい形で合理的に分類、整理してユーザに提供可能としたものである。
【００１１】
本発明の画像蓄積装置は、周期的または常態的に取得される電子データを特定の表示形式で表現する画像データを蓄積する画像蓄積装置において、画像記録部、画像データ格納部、識別子指定部、識別情報格納部、画像検索部、を備えたことを特徴としている。ここで、画像記録部は、ユーザからの指示または予め設定された画像記録設定情報に基づいて指定される画面の表示イメージを画像データとして記録する処理部であり、画像データ格納部は、画像データを格納する格納部である。また、識別子指定部は、画像データを記録する際に、ユーザからの指示または予め設定された識別子設定情報に基づいて個々の画像データ毎にこの画像データを識別する識別子を指定する処理部であり、識別情報格納部は、個々の画像データ毎に、識別子を含む情報をその画像データを示す識別情報として格納する格納部である。さらに、画像検索部は、ユーザからの指示または予め設定された画像検索設定情報に基づいて指定される検索条件に従い、識別情報に基づいて画像データを検索する処理部である。
【００１２】
このような特徴を有する本発明によれば、画面の表示イメージをそのまま画像データとして記録することができるため、周期的または常態的に取得される電子データを特定の表示形式で表現する画面を表示した状態で、ユーザが、ファンクションキーの押下等の簡単な操作を行って画像記録を指示するだけで、画面の表示イメージそのままの画像データが記録される。さらに、この画像データの記録時においては、画像データの識別子を指定できるため、表示形式の種別等を予め分類しておき、その種別を示す番号等を識別子の要素として自動的に付加したり、ユーザとの対話等によりユーザが検索しやすい要素を識別子に含めたりすることにより、指定した識別子に基づいて画像データを利用しやすい形で合理的に分類、整理することができる。そして、ユーザは、識別情報のデータ構成を利用して検索条件を容易に指定することができるため、画像蓄積装置は、そのような検索条件に基づき、的確な画像データを容易に検索して確実にユーザに提供することができる。
【００１３】
なお、本発明で重要な用語の定義は次の通りである。
「ユーザからの指示」は、マウス操作やキーボード操作等の、ユーザの何らかの操作に基づいて与えられる各種の指示を示しており、画像記録要求や画像検索要求等を含むが、さらに、表示要求や内容確認等、ユーザの何らかの操作に基づいて装置を動作または停止させる起因となりうる各種の指示を含む広い概念である。
【００１４】
「画像記録設定情報」は、記録する画面を指定するために予め設定された情報一般を示しており、各種の画面指定ルール、画面指定条件、指定すべき画面を特定する情報、自動記録用の画像指定情報やトリガー情報、等を含む広い概念である。
「識別子設定情報」は、画像データの識別子を指定するために予め設定された情報一般を示しており、識別子のデータ構成、画像データの種別や記録時刻等に応じた各種の識別子指定ルール、識別子指定条件、等を含む広い概念である。
「画像検索設定情報」は、画像データの検索条件を指定するために予め設定された情報一般を示しており、検索条件のデータ構成、各種の検索条件指定ルール、予め指定された検索条件、等を含む広い概念である。
【発明の効果】
【００１５】
以上のように、本発明によれば、画面の表示イメージをそのまま画像データとして記録すると共に、個々の画像データの識別子を指定、格納することにより、画像データを利用しやすい形で合理的に分類、整理してユーザに提供可能な画像蓄積装置とその方法およびプログラムを提供することができる。
【発明を実施するための最良の形態】
【００１６】
以下には、本発明をプラント監視技術に適用した複数の実施形態について、図面を参照して具体的に説明する。
【００１７】
［第１の実施形態］
［装置構成］
図１は、本発明の第１の実施形態に係る画像蓄積装置を示すブロック図である。この図１に示すように、画像蓄積装置１００は、画面表示部１０１、画面情報格納部１０２、画像記録部１０３、画像データ格納部１０４、識別子指定部１０５、識別情報格納部１０６、画像検索部１０７、を備えている。各部１０１〜１０７の機能は次の通りである。
【００１８】
画面表示部１は、画面情報格納部１０２に格納されている画面情報を参照してディスプレイ等の表示装置１０８に画面表示する。ここで、画面情報は、トレンドグラフ、一覧表示、サマリ画面等の特定の表示形式で表示装置１０８上に画面表示を行うための個々の画面を特定する情報やそれらの画面中で表示されるデータグループ等の補助情報を含む。
【００１９】
画像記録部１０３は、表示装置１０８に表示している画面のハードコピー画像を取り込み、画面の表示イメージの画像データとして画像データ格納部１０４に保存する。識別子指定部１０５は、個々の画像データ毎に画像データを識別する識別子を指定し、識別子を含む情報を、画像データを示す識別情報として識別情報格納部１０６に保存する。画像検索部１０７は、識別情報に基づいて画像データ格納部１０４に保存された画像データを検索する。
【００２０】
また、この図１を初めとする各ブロック図（図１０〜図１２、図１７、図１９等）中において、破線の矢印は、各種の要求等の指示のみの流れを示しており、実線の矢印は、各種の指示だけでなく、格納部に格納されて利用されるデータを含む情報の流れを示している。
【００２１】
なお、このような画像蓄積装置１００は、具体的には、コンピュータのメインメモリとそれに記憶された画像蓄積用として特化されたプログラム、そのプログラムによって制御されるＣＰＵなどの処理部、必要なデータを格納する補助記憶装置などの格納部、等により実現される。また、入力装置１０９は、マウスやキーボード等の入力装置であり、画像蓄積装置１００は、入力装置１００によるユーザの操作に応じた指示を入力するようになっている。ここで挙げたハードウェア資源は、コンピュータが一般的に備えている基本的な構成要素であるため、これ以上の説明は省略する。
【００２２】
［動作］
図２は、以上のような構成を有する本実施形態に係る画像蓄積装置１００の動作の概略を示すフローチャートであり、図３は、図２に示す動作のうち、画像記録処理Ｓ１３００の動作の一例を示すフローチャートである。以下には、図２、図３を参照しながら、画像蓄積装置１００の動作について具体的に説明する。
【００２３】
図２に示すように、画像蓄積装置１００はまず、画面表示部１０１により、画面情報格納部１０２中に保存された画面情報を用いて、表示装置１０８上でプラント監視画面等の画面表示を行う（Ｓ１１００）。
【００２４】
この場合、画面表示部１０１は、表示装置１０８上に数種類のプラント状況の把握に必要な画面を表示するようになっている。図４は、そのようなプラント監視画面の一例として、（ａ）トレンドグラフ、（ｂ）一覧表示、（ｃ）サマリ画面、をそれぞれ示している。ここで、「（ａ）トレンドグラフ」は、主要なパラメータを選択してトレンドグラフとして表示する画面であり、「（ｂ）一覧表示」は、プラントの主要な機器の状態を時系列に一覧表示する画面であり、「（ｃ）サマリ画面」は、プラントの主要パラメータをサマリとして表示する画面である。
【００２５】
また、画面情報格納部１０２には、画面情報として、画面番号、画面名称、補助情報、等からなるデータが格納されている。図５は、画面情報格納部１０２に保存される画面情報のデータ構成の一例を示すデータ表示図である。
【００２６】
このような画面表示を行っている中に、入力装置１０９の操作によるユーザからの指示として、例えばファンクションキーの押下などの予め決められた所定の操作に基づく画像記録要求が入力された場合（Ｓ１２００のＹＥＳ）には、画像記録部１０３と識別子指定部１０５により、画像記録処理を行う。すなわち、画像記録部１０３により、表示された画面の画像データを記録すると共に、識別子指定部１０５により個々の画像データの識別子を指定し、識別子を含む識別情報を識別情報格納部１０６に保存する（Ｓ１３００）。以下には、この画像記録処理の動作の一例について、図３を参照しながら説明する。
【００２７】
図３に示すように、画像記録処理（Ｓ１３００）においてはまず、画像記録要求に応答して、画像記録部１０３により、画面表示部１０１から現在表示しているカレント画面を取得してハードコピー処理を行った後、識別子指定部１０５によりカレント画面に関する画面情報を読み込んで、識別子の指定、識別情報の保存を行う（Ｓ１３０１〜Ｓ１３０４）。
【００２８】
すなわち、画像記録部１０３から画面表示部１０１に画面要求を行うことにより、画面表示部１０１が、表示装置１０８上に現在表示しているカレント画面について、画面情報格納部１０２に保存されている画面番号や画面名称等を読み出して、カレント画面自体の表示イメージデータと共に画像記録部１０３に送る。この場合に、画像記録部１０３は、その表示イメージデータを用いて、カレント画面のハードコピー画像を取り込み（Ｓ１３０１）、識別子指定部１０５に対して記録要求を行う。
【００２９】
識別子指定部１０５は、画像記録部１０３から記録要求を受け取ると、画面情報格納部１０２に保存されているカレント画面の画面番号、画面名称、現在時刻等のユニークになる情報を読み込み（Ｓ１３０２）、それらの情報に基づき、表示装置１０８上に識別子指定画面を表示してユーザと対話することで、画像データを識別する識別子として、画面番号、画面名称等を指定する（Ｓ１３０３）。識別子指定部１０５は、指定した識別子と付加情報、ファイル名を含む情報を、当該画像データを示す識別情報として、識別情報格納部１０６に保存する（Ｓ１３０４）。この場合、ファイル名は、画面番号、画面名称や、識別情報の保存時刻等のユニークになる情報と予め設定されたファイル名設定ルールに基づいて自動的に設定される。
【００３０】
例えば、ファイル名を画面番号と時間で指定しビットマップ形式で保存する場合、「画面番号」＋「アンダーバー」＋「保存時刻６桁（ＨＨＭＭＳＳ）」というファイル名設定ルールが設定されている場合に、画面番号が「１０１」、保存時刻が「１２時２５分３０秒」の画像データのファイル名は、「101_122530.bmp」となる。なお、ここでは、識別子を指定して識別情報を保存する保存時刻をファイル名に使用しているが、ファイル名にし様されるユニークな時刻は、保存時刻に限定されるものではない。例えば、変形例として、画像データのハードコピー処理時の画像データ取り込み時刻を使用してファイル名を設定してもよい。
【００３１】
一方、画像データ格納部１０４には、例えば、図６に示すような３層（ａ）〜（ｃ）の階層構造で、画像データが保存されるものとする。この図６において、（ａ）の最上位階層には、「プラント名称」、「データの事象名」などの基本分類が予め作成されている。どのディレクトリに保存するかは、例えば画像記録要求の操作を行う前に、図７の（ａ）に示すようなディレクトリ設定画面により、予めユーザにより指定され、指定が変更されるまで同じディレクトリに保存される。また、図６において、（ｂ）の中間階層には、日付のディレクトリが自動的に作成され、（ｃ）の下位階層には、個々の画像データが保存される。
【００３２】
そのため、画像記録部１０３は、識別子を指定した画像データを保存するに当たり、まず、画像データ格納部１０４中に本日の日付ディレクトリがあるか否かを判定する（Ｓ１３０５）。そして、本日の日付ディレクトリがない場合（Ｓ１３０５のＮＯ）には、日付ディレクトリを新たに作成し（Ｓ１３０６）、また、本日の日付ディレクトリがある場合（Ｓ１３０５のＹＥＳ）には、その既存の日付ディレクトリをそのまま使用して、その日付ディレクトリ中にカレント画面の画像データを、ビットマップ等の画像データとして保存する（Ｓ１３０７）。
【００３３】
なお、図７の（ｂ）は、識別子指定部１０５により、ユーザとの対話を行うために表示される識別子指定画面の一例を示す画面表示図である。この図７の（ｂ）に示すように、識別子である識別名には、ユーザの指示によりキーワードや任意名称が設定でき、付加情報として記録時刻や一連番号も設定される。また、図８は、識別情報格納部１０６に保存される識別情報のデータ構成の一例を示すデータ表示図である。この図８に示す識別情報は、一連番号、画面番号、日時、キーワード、任意名称、保存ディレクトリ、ファイル名、等から構成されている。
【００３４】
一方、図２に示すように、画像データ格納部１０４に保存された画像データに対して、入力装置１０９の操作によるユーザからの指示として、例えばファンクションキーの押下などの予め決められた所定の操作に基づく画像検索要求が入力された場合（Ｓ１４００のＹＥＳ）には、画像蓄積装置１００は、画像検索部１０７により画像検索処理を行う。すなわち、画像検索部１０７により、画像検索要求に基づいて指定される検索条件に従い、識別情報格納部１０６に保存された識別情報に基づいて画像データ格納部１０４中の画像データを検索する（Ｓ１５００）。
【００３５】
この場合、画像検索部１０７は、識別情報格納部１０６に保存された識別情報から、保存時刻、ファイル名、任意名称、キーワード、等を読み出し、例えば、図９の（ａ）に示すような画像データ一覧画面を表示装置１０８上に表示する。この画像データ一覧画面の中から、ユーザが参照したい画像データを指定する操作を行うと、画像検索部１０７は、その指定された画像データを特定する情報を検索条件として画像データ格納部１０４を検索して目的の画像データを取り出し、表示装置１０８上に画面表示する。
【００３６】
また、参照したいファイルが多数の場合、ユーザが、図９の（ａ）に示すような画像データ一覧画面の検索条件ボタンを押下する操作を行うと、画像検索部１０７は、図９の（ｂ）に示すような検索条件指定画面を表示装置１０８上に表示する。この検索条件指定画面は、一例として、図７の（ｂ）に示す識別子指定画面の各項目に対応する項目の任意指定を支援するものである。このような検索条件指定画面により、ユーザから検索条件が指定された場合には、画像検索部１０７は、その検索条件を満足する画像データだけを検索して表示させる。
【００３７】
［変形例］
なお、第１の実施形態の変形例として、例えば、図１０に示すように、ネットワークＮを介して、画像蓄積装置１００を１台〜複数台の参照端末１１０と接続することも可能である。この場合、参照端末１１０は、画像蓄積装置１００と同様にコンピュータにより実現されており、検索要求部１１１、表示装置１１２、入力装置１１３、を備えている。なお、図面の簡略化の観点から、画像蓄積装置１００の細部は省略しているが、図１に示した画像蓄積装置１００と同様の構成を備えている。
【００３８】
この構成において、画像蓄積装置１００の画像検索部１０７は、参照端末１１０の検索要求部１１１からの画像検索要求に応答して、画像データおよび識別情報を検索、取り出して参照端末１１０に送信する。参照端末１１０の検索要求部１１１は、画像蓄積装置１００から送信される画像データおよび識別情報を受信して表示装置１１２上に画面表示する。
【００３９】
この変形例においては、画像蓄積装置１００と参照端末１１０とをネットワーク接続をすることにより、画像蓄積装置１００から離れた場所からも画像蓄積装置１００内に蓄積された画像データの検索、取り出しが可能となる。
【００４０】
また、より応用的な変形例として、例えば、図１１に示すように、ネットワークＮを介して、複数の画像蓄積装置１００−１〜１００−ｎを統合データ蓄積装置１２０と接続し、統合データ蓄積装置１２０で画像データおよび識別情報を管理して、参照端末１１０に画像データを送信するようにしてもよい。この場合、画像蓄積装置１００は、データ転送部１３１を備えている。
【００４１】
また、統合データ蓄積装置１２０は、画像蓄積装置１００と同様にコンピュータにより実現されており、統合データ記録部１２１、統合データ検索部１２２、統合画像データ格納部１２３、統合識別情報格納部１２４、表示装置１２５、入力装置１２６、を備えている。なお、図面の簡略化の観点から、画像蓄積装置１００および参照端末１１０の細部は省略しているが、図１に示した画像蓄積装置１００および図１０に示した参照端末１１０と同様の構成を備えている。
【００４２】
この構成において、複数の画像蓄積装置１００−１〜１００−ｎの各々で記録された画像データおよび識別情報は、データ転送部１３１により周期的または常態的に統合データ蓄積装置１２０に転送される。統合データ蓄積装置１２０においては、複数の画像蓄積装置１００−１〜１００−ｎからの画像データおよび識別情報を受信して、統合画像データ格納部１２３および統合識別情報格納部１２４に保存して一元管理する。また、統合データ蓄積装置１２０の統合データ検索部１２２は、複数の参照端末１１０−１〜１１０−ｎからの画像検索要求に応答して、統合画像データおよび統合識別情報を検索、取り出して要求元の参照端末１１０に送信する。
【００４３】
この変形例においては、離れた複数箇所の画像蓄積装置１００でそれぞれ得られた画像データとその識別情報を統合データ蓄積装置１２０で一元管理することにより、離れた複数箇所で得られた画像データを、別の離れた場所に設置された複数の参照端末１１０から一括的に容易に検索、取り出し可能となる。
【００４４】
［効果］
以上述べたように、第１の実施形態によれば、画面の表示イメージをそのまま画像データとして記録することができるため、プラントデータを、トレンドグラフ、一覧表示、サマリ画面等の特定の表示形式で表現するプラント監視画面等の画面を表示した状態で、ユーザが、ファンクションキーの押下等の簡単な操作を行って画像記録を指示するだけで、画面の表示イメージそのままの画像データが記録される。
【００４５】
さらに、この画像データの記録時においては、画像データの識別子を指定できるため、表示形式の種別等を予め分類しておき、その種別を示す画面番号や画面名称等を識別子の要素として自動的に付加したり、ユーザとの対話等によりユーザが検索しやすいキーワードや任意名称等の要素を識別子に含めたりすることにより、指定した識別子に基づいて画像データを利用しやすい形で合理的に分類、整理することができる。
【００４６】
そして、ユーザは、識別情報のデータ構成を利用して検索条件を容易に指定することができるため、画像蓄積装置は、そのような検索条件に基づき、的確な画像データを容易に検索して確実にユーザに提供することができる。
【００４７】
したがって、第１の実施形態によれば、ユーザの指示に基づいて、画像データを示す識別子を適切に指定して、時刻や一連番号等の付加情報と共に個々の画像データの識別情報として保存することにより、この識別情報を利用して画像データを、当該ユーザが利用しやすい形で合理的に分類、整理することができるため、識別子を指示したユーザは、保存した画像データを利用する際に、目的の画像データを容易かつ的確に取り出すことができる。
【００４８】
また、識別子に含めるキーワードや任意名称等について、当該分野で使用されている一般的な用語を使用することにより、別のユーザの指示に基づいて識別子が指定された画像データについても、その画像データを利用しようとするユーザは、目的の画像データを容易かつ的確に取り出すことができる。
【００４９】
さらに、図１０、図１１に示すようにネットワーク接続を行うことにより、一元管理されている画像データを離れた複数の場所から容易に検索して取り出すことが可能となり、蓄積した画像データをより有効に活用することができる。
【００５０】
［第２の実施形態］
［装置構成］
図１２は、本発明の第２の実施形態に係る画像蓄積装置を示すブロック図である。この図１２に示すように、画像蓄積装置２００は、第１の実施形態に係る画像蓄積装置１００の構成に、自動記録設定部２０１、自動記録設定情報格納部２０２、自動記録判定部２０３、を加えたものである。これらの追加部分２０１〜２０３の機能は次の通りである。
【００５１】
自動記録設定部２０１は、予め記録する画像データを指定する画像指定情報とその画像データを記録するトリガーとなる事象に関するトリガー情報を設定し、自動記録設定情報として自動記録設定情報格納部２０２に保存する。自動記録判定部２０３は、自動記録設定情報格納部２０２からトリガー情報を読み出し、画像データの自動記録を行うべきトリガーとなる設定事象が発生したか否かを判定する。なお、他の部分の構成については、前述した第１の実施形態と同様であるため、説明を省略する。
【００５２】
［動作］
図１３は、以上のような構成を有する本実施形態に係る画像蓄積装置２００の動作の概略を示すフローチャートであり、図１４は、図１３に示す動作のうち、自動記録処理Ｓ２４００の動作の一例を示すフローチャートである。以下には、図１３、図１４を参照しながら、画像蓄積装置２００の動作について具体的に説明する。
【００５３】
図１３に示すように、画像蓄積装置２００はまず、入力装置１０９の操作によるユーザからの指示として、例えばファンクションキーの押下などの予め決められた所定の操作に基づく自動記録設定要求が入力された場合（Ｓ２１００のＹＥＳ）には、自動記録設定部２０１により、自動記録設定処理を行う。すなわち、自動記録設定部２０１により、ユーザからの自動記録設定要求に基づいて与えられる画像指定情報とトリガー情報を自動記録設定情報として自動記録設定情報格納部２０２に保存する（Ｓ２２００）。
【００５４】
この場合、自動記録設定部２０１は、例えば、図１５に示すような自動記録設定画面を表示装置１０８上に表示して、ユーザとの対話により、事象名、トリガー、周期、保存ディレクトリ、保存する画面（画像データ）等の設定を行う。トリガーの発生は、例えば、あるプラントデータが上限値／下限値を超過した場合や、あるプラントデータの状態が変化した場合、判定ロジックが成立した場合等であるが、さらに、そのような場合においてトリガーを周期的に発生させるように設定することも可能である。
【００５５】
自動記録設定情報格納部２０２には、以上のようにして自動記録設定部２０１で設定された自動記録設定情報が保存される。図１６は、自動記録設定情報格納部２０２に保存される自動記録設定情報のデータ構成の一例を示すデータ表示図である。この図１６に示す自動記録設定情報は、記録の要否、判定データ、値／状態、周期、保存画面番号、保存ディレクトリ、等の項目から構成されている。
【００５６】
自動記録判定部２０３は、プラントのプロセスデータを周期的に読み込み、自動記録設定情報格納部２０２に保存されている自動記録設定情報と照合し、設定事象が発生しているか否かを判定する（Ｓ２３００）。設定事象が発生していると判定した場合（Ｓ２３００のＹＥＳ）には、自動記録判定部２０３は、画像記録部１０３に対して画像記録要求を行う。
【００５７】
画像記録部１０３は、自動記録判定部２０３から画像記録要求がなされた場合に、自動記録処理として、自動記録設定情報において指定された画面の画像データを記録すると共に、識別子指定部１０５により個々の画像データの識別子を指定させ、識別子を含む識別情報を識別情報格納部１０６に保存させる（Ｓ２４００）。以下には、この自動記録処理の動作の一例について、図１４を参照しながら説明する。
【００５８】
図１４に示すように、自動記録処理（Ｓ２４００）においてはまず、画像記録要求に応答して、画像記録部１０３により、自動記録設定情報格納部２０２に保存された自動記録設定情報から、自動記録すべき画像データを指定する画像指定情報として、例えば、画面番号等を読み込み（Ｓ２４０１）、画面表示部１０１にその画面番号の画面を表示装置１０８上に表示させる（Ｓ２４０２）。
【００５９】
また、本実施形態において、画像データ格納部１０４には、第１の実施形態と同様に、図６に示すような３層（ａ）〜（ｃ）の階層構造で画像データが保存されるものとする。そのため、画像記録部１０３は、指定された画像データを保存するために、まず、画像データ格納部１０４中に本日の日付ディレクトリがあるか否かを判定する（Ｓ２４０３）。そして、本日の日付ディレクトリがない場合（Ｓ２４０３のＮＯ）には、日付ディレクトリを新たに作成し（Ｓ２４０４）、また、本日の日付ディレクトリがある場合（Ｓ２４０３のＹＥＳ）には、その既存の日付ディレクトリをそのまま使用する。
【００６０】
そして、ユーザからの指示として、例えばファンクションキーの押下などの予め決められた所定の操作に基づく自動記録終了要求が入力された場合（Ｓ２４０５のＹＥＳ）には、自動記録処理を終了する。また、あるプラントデータの値が正常値に戻った場合や、あるプラントデータのデータ値が正常になった場合や、状態が元の状態に戻った場合（Ｓ２４０６のＹＥＳ）においても、自動記録処理を終了する。
【００６１】
画像記録部１０３は、初回から所定の周期時刻毎（Ｓ２４０７のＹＥＳ）に、前回保存時刻に現在時刻を設定して（Ｓ２４０８）、画面切替を行いながら（Ｓ２４０９）、各画面毎に、画面のハードコピー画像を取り込み、識別子指定部１０５により識別子を指定して識別情報を保存し（Ｓ２４１０）、本日の日付ディレクトリに画像データを保存する（Ｓ２４１１）。画像記録部１０３は、読み込んだ自動記録設定情報の保存画面番号が終了するまで（Ｓ２４１２のＮＯ）、この一連の処理（Ｓ２４０９〜Ｓ２４１１）を繰り返す。
【００６２】
なお、この図１４においては、画面表示部１０１により、自動記録する画面を表示装置１０８上に表示させる場合について説明したが、自動記録する画面は、必ずしも表示装置１０８上に表示させる必要はない。すなわち、他の方法として、画面表示部１０１により、画面番号に基づいて画面情報格納部１０２から画面情報を読込み、指定された画面の表示イメージを内部データとして作成し、画像記録部１０３にその表示イメージデータを送るようにしてもよい。
【００６３】
［変形例］
なお、第２の実施形態の変形例として、例えば、図１７に示すように、複数の画面表示部１０１−１〜１０１−ｎにより、複数の表示装置１０８−１〜１０８−ｎにそれぞれ異なる画面が表示される場合、複数の画面の表示イメージデータを画像記録部１０３により一元化して記録することも可能である。
【００６４】
さらに、この図１７の構成において、図１８に示すような自動記録設定情報を使用してもよい。図１８の自動記録設定情報においては、トリガーが発生した場合に、画面表示部１０１−１〜１０１−ｎのそれぞれが表示すべき画面番号が規定されている。このような自動記録設定情報を使用した場合に、画像記録部１０３は、トリガーが発生すると、画面表示部１０１−１〜１０１−ｎに対し、それぞれに規定された画面の表示要求を行い、個々の画面のハードコピー画像データを画像データ格納部１０４に保存する。
【００６５】
また、第２の実施形態においては、説明の簡略化の観点から、自動記録処理を行う場合のみについて説明したが、第１の実施形態と同様に、画面表示からの画像記録要求による画像記録処理と自動記録処理の両方を行うようにしてもよい。
【００６６】
［効果］
以上述べたように、第２の実施形態によれば、ある事象が発生した場合に記録する画面を予め設定しておくことにより、設定事象の発生時に自動的に必要な画面の画像データを保存することができるため、画面の記録タイミングを逃がすこともなく、業務の効率アップを図ることができる。
【００６７】
［第３の実施形態］
［装置構成］
図１９は、本発明の第３の実施形態に係る画像蓄積装置を示すブロック図である。この図１９に示すように、画像蓄積装置３００は、第２の実施形態に係る画像蓄積装置２００の構成に、画像再生設定部３０１、画像再生情報格納部３０２、画像再生部３０３、画像取込部３０４を加えたものである。これらの追加部分３０１〜３０４の機能は次の通りである。
【００６８】
画像再生設定部３０１は、画像データ格納部１０４に保存されている画像データを周期的に再生表示するための画像再生設定情報を設定し、画像再生設定情報格納部３０２に保存する。この場合、画像再生設定情報は、再生する画像データを指定する画像条件、再生順、個々の画像データの表示周期、を含む。画像再生部３０３は、画像再生設定情報に基づいて、その画像条件により指定される複数の画像データを、設定された再生順でかつ個々の画像データについて設定された表示周期により、ページ送り形式またはアニメーション形式で周期的に再生表示する。
【００６９】
画像取込部３０４は、画像再生部３０３で再生する複数の画像データを、画像データ格納部１０４から一括または連続的に取り込む。そのため、本実施形態の画像検索部１０７は、識別情報格納部１０６から識別情報のみを取り込む。なお、他の部分の構成については、前述した第２の実施形態と同様であるため、説明を省略する。
【００７０】
［動作］
図２０は、以上のような構成を有する本実施形態に係る画像蓄積装置３００の動作の概略を示すフローチャートであり、図２１は、図２０に示す動作のうち、画像再生処理Ｓ３８００の動作の一例を示すフローチャートである。以下には、図２０、図２１を参照しながら、画像蓄積装置３００の動作について具体的に説明する。
【００７１】
図２０に示すように、画像蓄積装置３００が、自動記録設定要求が与えられた場合（Ｓ３１００のＹＥＳ）に、自動記録設定部２０１により、自動記録設定処理を行い（Ｓ３２００）、自動記録判定部２０３により、設定事象が発生していると判定された場合（Ｓ３３００のＹＥＳ）に、画像記録部１０３により自動記録処理を行わせる（Ｓ３４００）までの一連の処理は、図１３に示す一連の処理Ｓ２１００〜Ｓ２４００と同様である。
【００７２】
本実施形態の画像蓄積装置３００において、入力装置１０９の操作によるユーザからの指示として、例えばファンクションキーの押下などの予め決められた所定の操作に基づく画像再生設定要求が入力された場合（Ｓ３５００のＹＥＳ）には、画像再生設定部３０１により、画像再生設定処理を行う。すなわち、画像再生設定部３０１により、ユーザからの画像再生設定要求に基づいて与えられる画像再生設定情報を画像再生設定情報格納部３０２に保存する（Ｓ３６００）。
【００７３】
この場合、画像再生設定部３０１は、画像データ格納部１０４に保存されている画像データを周期的に再生表示するための画像再生設定情報を設定するために、例えば、図２２の（ａ）に示すような画像再生画面を表示装置１０８上に表示して、ユーザとの対話により、情報の設定を行う。例えば、新規に再生内容を設定する場合は、再生タイトルを入力し、既に設定済みの再生内容を編集する場合は、再生タイトル一覧より選択する。
【００７４】
この図２２の（ａ）に示す画像再生画面において、入力装置１０９の操作によるユーザからの指示として、「設定」ボタンが押下されると、画像再生設定部３０１は、図２２の（ｂ）に示すような画像再生ファイル選択画面を表示装置１０８上に表示する。この画像再生ファイル選択画面には、画像記録処理により保存された画像データの保存日時、ファイル名、名称、任意名称等が一覧表示され、検索条件としてキーワードや日付などが指定された場合には、画像検索部１０７により、識別情報格納部１０６から該当する画像データを検索し、条件に合ったものだけを表示装置１０８上に表示する。
【００７５】
また、図２２の（ｂ）に示す画像再生ファイル選択画面において、入力装置１０９の操作によるユーザからの指示として、「番号」ボタンが押下され、画像データが選択されると、選択された番号の右の欄に画像データのファイル名が表示される。設定操作の終了後、ユーザからの指示として、画像再生ファイル選択画面の「設定」ボタンが押下されると、設定された画像再生設定情報が画像再生設定情報格納部３０２に保存される。
【００７６】
図２３は、画像再生設定情報格納部３０２に保存される画像再生設定情報のデータ構成の一例を示すデータ表示図である。この図２３に示す画像再生設定情報は、（ａ）再生タイトル情報、（ｂ）再生ファイル情報、（ｃ）説明内容、等を含む。ここで、（ａ）再生タイトル情報は、再生番号に再生タイトルを関連付けた情報であり、（ｂ）再生ファイル情報は、再生番号に、表示順序、日付、ファイル名、表示周期、等を関連付けた情報である。
【００７７】
入力装置１０９の操作によるユーザからの指示として、例えば、図２２の（ａ）のような画像再生画面にて再生タイトルが選択され、「再生」ボタンが押下されるなどの所定の操作に基づく画像再生要求が入力された場合（Ｓ３７００のＹＥＳ）には、画像再生部３０３により、画像再生処理を行う。すなわち、画像再生部３０３は、画像再生設定情報格納部３０２に保存されている画像再生設定情報に基づいて指定される複数の画像データを画像取込部３０４により取り込み、取り込んだ画像データを、図２３の（ｂ）に示すような再生順でかつ個々の画像データの表示周期により周期的に再生表示する（Ｓ３８００）。以下には、この画像再生処理の動作の一例について、図２１を参照しながら説明する。
【００７８】
図２１に示すように、画像再生処理（Ｓ３８００）においてはまず、画像再生要求に応答して、画像再生部３０３により、画像再生設定情報格納部３０２に保存された画像再生設定情報から、日付、画像データのファイル名、表示周期、を読み込み（Ｓ３８０１）、画像取込部３０４に日付とファイル名を渡して、日付ディレクトリ下の画像データの取込を行わせる（Ｓ３８０２）。画像再生部３０３は、取り込んだ画像データを、表示周期分、表示装置１０８上で再生表示する（Ｓ３８０３）。すなわち、設定された再生順でかつ個々の画像データについて設定された表示周期により、ページ送り形式またはアニメーション形式で周期的に再生表示する。画像再生部３０３は、画像再生情報において設定されている再生対象の画像データが終了するまで（Ｓ３８０４のＮＯ）、画像データの取込と再生表示を繰り返す（Ｓ３８０２、Ｓ３８０３）。
【００７９】
なお、本実施形態の画像蓄積装置３００においては、例えば、画像再生設定部３０１により画像再生設定情報の設定を行う際に、画像と一緒に表示する説明文を指定することも可能である。この場合、説明情報は、図２３の（ｃ）に示すように、予め事象の内容に応じて準備されたものを指定してもよいし、設定時にユーザからの指示に従い入力することも可能である。例えば、図２４に示すように、自動記録設定情報中に、対応する説明情報を登録しておき、画像記録の際に識別情報の一部として保存することにより、画像再生時にはその説明情報が参照され、表示される。
【００８０】
また、図２３の（ｂ２）に示すように、再生ファイル情報中に説明情報を登録することも可能である。さらに、予め準備された説明文については、その音声ファイルを登録し、その内容を画像と一緒に再生することも可能である。
【００８１】
［効果］
以上述べたように、第３の実施形態によれば、画像データを、予め設定された再生順でかつ個々の画像データについて設定された表示周期により、ページ送り形式またはアニメーション形式で周期的に再生表示することができるため、プラントの状態が変化する様子を、時間の流れに沿って容易に把握することができる。したがって、事象発生時における事業者内上層部や外部に対する事象の状況説明や報告資料などの資料作成の作業効率を向上できる。
【００８２】
［第４の実施形態］
［装置構成］
図２５は、本発明の第４の実施形態に係る報告書作成支援装置を示すブロック図である。この図２５に示すように、報告書作成支援装置４００は、第１の実施形態に係る画像蓄積装置１００の構成に、報告書情報格納部４０１、報告書作成部４０２、プラントデータ格納部４０３、プラントデータ保存部４０４、プラントデータ読込部４０５、画像取込部３０４、を加えることで、プラント監視における各種の報告書の作成を支援できるようにしたものである。これらの追加部分３０４，４０１〜４０５の機能および報告書作成支援を行うための他の部分における特徴的な機能は次の通りである。
【００８３】
画像データ格納部１０４は、プラント監視画面の画像データおよび報告書の表示イメージデータを保存する。識別子指定部１０５は、プラント監視画面の画像データおよび報告書の表示イメージデータについて、それぞれの識別子を指定し、識別子を含む識別情報を識別情報格納部１０６に保存する。なお、以降の説明では、報告書中に貼り付けるプラント監視画面の画像データのファイルを、「画像ファイル」と称し、そのような画像ファイルを貼り付けた報告書全体の表示イメージデータのファイルを、「報告書ファイル」と称する。
【００８４】
報告書作成部４０２は、ユーザにより選択された報告書に関する報告書情報を報告書情報格納部４０１より読み込み、報告書作成用の基本フォーマット画面を表示装置１０８上に画面表示する。ここで、報告書情報は、各報告書の種別毎に、報告書番号や報告書名称に、基本フォーマット画面、画面中に貼りつける画像データの種別および貼り付け位置に関する画面形式情報を関連付けた情報である。画像取込部３０４は、ユーザにより選択された画像データを、画像データ格納部１０４から取り込む。そのため、本実施形態の画像検索部１０７は、識別情報格納部１０６から識別情報のみを取り込む。
【００８５】
プラントデータ保存部４０４は、例えば、画像記録部１０３に画像記録要求があった場合に、プラントからのプロセス値をプラントデータ格納部４０３に保存する。プラントデータ保存部４０４により、画像記録要求とは非同期にプラントデータを周期的にプラントデータ格納部４０３に保存することも可能である。プラントデータ読込部４０５は、画像データを報告書に貼り付ける際にプラントデータ格納部４０３よりプロセス値を読み込み、報告書に記述する。なお、他の部分の構成や機能については、前述した第１の実施形態と同様であるため、説明を省略する。
【００８６】
［動作］
図２６は、以上のような構成を有する本実施形態に係る報告書作成支援装置４００の動作の概略を示すフローチャートであり、図２７は、図２６に示す動作のうち、報告書作成支援処理Ｓ４５００の動作の一例を示すフローチャートである。以下には、図２６、図２７を参照しながら、報告書作成支援装置４００の動作について具体的に説明する。
【００８７】
図２６に示すように、この報告書作成支援装置４００において、表示装置１０８上でのプラント監視画面等の画面表示中（Ｓ４１００）に、画像記録要求が与えられた場合（Ｓ４２００のＹＥＳ）には、画像記録部１０３とプラントデータ保存部４０４により、画像記録・プラントデータ保存処理を行う。すなわち、画像記録部１０３により、表示しているカレント画面のハードコピー画像データを画像データ格納部１０４に保存すると共に、プラントデータ保存部４０４により、プラントからのプロセス値をプラントデータ格納部４０３に保存する（Ｓ４３００）。
【００８８】
入力装置１０９の操作によるユーザからの指示として、例えばファンクションキーの押下などの予め決められた所定の操作に基づく報告書作成要求が入力された場合（Ｓ４４００のＹＥＳ）には、報告書作成部４０２により、報告書作成支援処理を行う（Ｓ４５００）。以下には、この報告書作成支援処理の動作の一例について、図２７を参照しながら説明する。
【００８９】
図２７に示すように、報告書作成支援処理（Ｓ４５００）においてはまず、報告書作成要求に応答して、報告書作成部４０２により、報告書情報格納部４０１に格納された報告書情報に基づき、報告書選択画面が表示される（Ｓ４５０１）。図２８は、報告書情報格納部４０１に保存される報告書情報のデータ構成の一例を示すデータ表示図である。この図２８に示すように、報告書情報格納部４０１には、報告書情報として、報告書番号、報告書名称などのインデクス情報と、報告書フォーマットが格納されている。報告書フォーマットは、画像の貼り付け位置、プロセス値の読み込み位置とパラメータコードに関する情報を含む。
【００９０】
図２９、図３０は、報告書フォーマットの一例として、事象発生報告ページ、プラント運転に関するパラメータ情報ページ、という２ページからなる事象発生報告書の基本フォーマット画面を示す画面表示図である。また、図３１は、報告書情報に基づいて表示される画面の一例として、（ａ）報告書選択画面、（ｂ）画像ファイル選択画面、を示す画面表示図である。
【００９１】
報告書作成部４０２は、例えば、図３１の（ａ）に示すような報告書選択画面によるユーザとの対話により報告書が指定された場合には、その報告書の報告書フォーマットを報告書情報格納部４０１から読み込み（Ｓ４５０２）、図２９、図３０に示すように、報告書の基本フォーマット画面を表示装置１０８上に画面表示する（Ｓ４５０３）。
【００９２】
この状態で、例えば、ユーザからの指示として、図２９の基本フォーマット画面の上部に表示された「画像取込み」ボタンが押下されることにより、画像取込要求が与えられた場合（Ｓ４５０４のＹＥＳ）には、画像取込部３０４は、画像検索部１０７を通じて、図３１の（ｂ）に示すような画像ファイル選択画面を表示装置１０８上に表示する（Ｓ４５０５）。
【００９３】
この場合、画像ファイル選択画面には、画像ファイルの保存日時、ファイル名、任意名称、キーワード等が表示される。図３１の（ｂ）に示すような画像ファイル選択画面上で、例えば、ユーザからの指示として、「検索条件指定」ボタンが押下されることにより、図９の（ｂ）に示すような検索条件指定画面が表示される。この検索条件指定画面上で、ユーザからの指示に基づいて、キーワードや日付などの検索条件が指定されると、画像取込部３０４は、画像検索部１０７により、識別情報格納部１０６より該当する画像データの識別情報を検索し、条件に合ったものだけを、図３１の（ｂ）に示すように画像ファイル選択画面に一覧表示する。一覧表示されたファイル名が１つ選択され、「画像プレビュー」ボタンが押下された場合には、画像取込部３０４は、図３１の（ｂ）に示すように、画像ファイル選択画面の右下に画像ファイルをプレビューする。
【００９４】
この画像ファイル選択画面において、ユーザからの指示として、報告書貼付けデータの番号ボタンが押下されることにより、画像ファイルが選択されると、選択した番号の右の欄にファイル名が表示される。報告書選択画面で「選択」ボタンが押下された場合には、画像取込部３０４は、設定された画像ファイルを画像データ格納部１０４から取り込み（Ｓ４５０６）、報告書作成部４０２に渡す。報告書作成部４０２は、報告書の画像データ貼り付け位置に、画像を貼り付ける（Ｓ４５０７）。
【００９５】
また、図３１の（ｂ）に示すように画像ファイル選択画面上で、ユーザからの指示として、画像ファイルの選択と同時にプラント主要パラメータの読込み要求が与えられた場合（Ｓ４５０８のＹＥＳ）には、プラントデータ読込部４０５は、画像検索部１０７を介して、子識別情報格納部１０６から、選択された画像ファイルの一連番号を読み込み、この一連番号を元に、プラントデータ格納部４０３からプロセス値を読み込み、報告書作成部１２に渡す（Ｓ４５０９）。報告書作成部４０２は、図２８に示す報告書情報の（ｃ）に規定されているパラメータを読み込み、作成中の報告書に必要なパラメータのプロセス値を自動的に記述する（Ｓ４５１０）。
【００９６】
図３２は、プラントデータ格納部４０３に保存されるプラントデータのデータ構成の一例を示すデータ表示図である。この図３２に示すように、プラントデータ格納部４０３には、プラントの主要パラメータのプロセス値が格納されている。また、プラントデータと画像データとを関連付けるために、プラントデータの各レコードは、識別情報格納部１０６に保存される識別情報の一連番号と同じ項目を含む。
【００９７】
さらに、ユーザからの指示として、例えば、図２９の基本フォーマット画面の上部に表示された「報告書保存」ボタンが押下されることにより、報告書保存要求が与えられた場合（Ｓ４５１１のＹＥＳ）には、報告書作成部４０２は、識別子指定部１０５に報告書番号や報告書名を渡し、報告書の識別子を対話にて指定させ、識別情報を保存させる。ここで、図３３は、報告書作成部４０２から指示を受けた場合に、識別子指定部１０５により表示される識別子設定画面の一例を示す画面表示図である。
【００９８】
この図３３に示す識別子設定画面において、識別子には、画像ファイルの識別子設定と同様に、キーワードや任意名称が設定でき、付加情報として記録時刻や一連番号も設定できるようになっている。このような識別子設定画面を用いて、識別子指定部１０５でユーザとの対話により設定された情報は、識別子指定部１０５により、報告書の識別情報として識別情報格納部１０６に保存される（Ｓ４５１２）。
【００９９】
最終的に、報告書作成部１２は、作成された報告書ファイルを画像データ格納部１０４に保存する（Ｓ４５１３）。
【０１００】
［効果］
以上述べたように、第４の本実施形態によれば、報告書に貼り付ける画像ファイルの選定の際に、識別子等の付加情報を表示したり、画像ファイルのプレビューをしたりすることにより、画像ファイルの内容を容易かつ確実に確認することができる。したがって、報告書に、画像ファイルを間違えて貼り付ける等の問題が少なくなり、報告書への画像データの貼り付け作業効率を向上でき、結果として報告書の作成作業全体の作業効率を向上できる。
【０１０１】
また、画像データを記録した時刻のプラント主要パラメータをプラント情報より読み込むことにより、画像データと同期したプラントデータを簡単に抽出することができることに加えて、報告書への数値の入力作業が軽減され、入力ミス等の誤りがなくなる。
【０１０２】
［他の実施形態］
なお、本発明は、前述した実施形態に限定されるものではなく、本発明の範囲内で他にも多種多様な変形例が実施可能である。例えば、図面に示した装置構成は、一例にすぎず、具体的な機能構成は適宜選択可能である。また、図面に示した格納部の構成やそれに保存されるデータ構成も一例にすぎず、具体的な格納部の構成やそのデータ構成は適宜選択可能である。同様に、図面に示したフローチャートは、一例にすぎず、具体的な動作手順や各処理の詳細は適宜選択可能である。
【０１０３】
さらに、前述した実施形態においては、本発明をプラント監視装置に適用した場合について説明したが、本発明の適用先はプラント監視技術の分野に限定されない。すなわち、本発明は、各種の監視対象に関するデータを定期的または常態的に取得して画像データとして処理する各種の監視技術の分野においても同様に適用可能であり、さらには、監視技術の分野に限らず、定期的または常態的に取得される電子データを特定の表示形式で表現する画像データを取り扱う各種の分野においても同様に適用可能であり、同様に優れた効果が得られるものである。
【図面の簡単な説明】
【０１０４】
【図１】本発明の第１の実施形態に係る画像蓄積装置を示すブロック図。
【図２】図１に示す画像蓄積装置の動作の概略を示すフローチャート。
【図３】図２に示す動作のうち、画像記録処理の動作の一例を示すフローチャート。
【図４】図１に示す画像蓄積装置により表示されるプラント監視画面の一例として、（ａ）トレンドグラフ、（ｂ）一覧表示、（ｃ）サマリ画面、を示す画面表示図。
【図５】図１に示す画面情報格納部に保存される画面情報のデータ構成の一例を示すデータ表示図。
【図６】図１に示す画像データ格納部に保存される画像データの階層構造の一例を示すツリー表示図。
【図７】図１に示す画像蓄積装置によりユーザとの対話を行うために表示される画面の一例として、（ａ）ディレクトリ設定画面、（ｂ）識別子指定画面、を示す画面表示図。
【図８】図１に示す識別情報格納部に保存される識別情報のデータ構成の一例を示すデータ表示図。
【図９】図１に示す画像蓄積装置によりユーザとの対話を行うために表示される画面の一例として、（ａ）画像データ一覧画面、（ｂ）検索条件指定画面、を示す画面表示図。
【図１０】本発明の第１の実施形態に対する１つの変形例に係るネットワーク接続構成を示すブロック図。
【図１１】本発明の第１の実施形態に対する別の変形例に係るネットワーク接続構成を示すブロック図。
【図１２】本発明の第２の実施形態に係る画像蓄積装置を示すブロック図。
【図１３】図１２に示す画像蓄積装置の動作の概略を示すフローチャート。
【図１４】図１３に示す動作のうち、自動記録処理の動作の一例を示すフローチャート。
【図１５】図１２に示す画像蓄積装置によりユーザとの対話を行うために表示される画面の一例として、自動記録設定画面を示す画面表示図。
【図１６】図１２に示す自動記録設定情報格納部に保存される自動記録設定情報のデータ構成の一例を示すデータ表示図。
【図１７】本発明の第２の実施形態に対する１つの変形例に係る画像蓄積装置を示すブロック図。
【図１８】図１７に示す自動記録設定情報格納部に保存される自動記録設定情報のデータ構成の一例を示すデータ表示図。
【図１９】本発明の第３の実施形態に係る画像蓄積装置を示すブロック図。
【図２０】図１９に示す画像蓄積装置の動作の概略を示すフローチャート。
【図２１】図２０に示す動作のうち、画像再生処理の動作の一例を示すフローチャート。
【図２２】図１９に示す画像蓄積装置によりユーザとの対話を行うために表示される画面の一例として、（ａ）画像再生画面、（ｂ）画像再生ファイル選択画面を、を示す画面表示図。
【図２３】図１９に示す画像再生設定情報格納部に保存される画像再生設定情報のデータ構成の一例として、（ａ）再生タイトル情報、（ｂ）再生ファイル情報、（ｃ）説明内容、を示すデータ表示図。
【図２４】図１９に示す自動記録設定情報格納部に保存される自動記録設定情報のデータ構成の一例を示すデータ表示図。
【図２５】本発明の第４の実施形態に係る報告書作成支援装置を示すブロック図。
【図２６】図２５に示す報告書作成支援装置の動作の概略を示すフローチャート。
【図２７】図２６に示す動作のうち、報告書作成支援処理の動作の一例を示すフローチャート。
【図２８】図２５に示す報告書情報格納部に保存される報告書情報のデータ構成の一例を示すデータ表示図。
【図２９】図２５に示す報告書作成支援装置で表示される報告書の基本フォーマット画面の一例として、２ページからなる事象発生報告書の事象発生報告ページを示す画面表示図。
【図３０】図２９に示す事象発生報告書のプラント運転に関するパラメータ情報ページを示す画面表示図。
【図３１】図２５に示す報告書作成支援装置で表示される画面の一例として、（ａ）報告書選択画面、（ｂ）画像ファイル選択画面、を示す画面表示図。
【図３２】図２５に示すプラントデータ格納部に保存されるプラントデータのデータ構成の一例を示すデータ表示図。
【図３３】図２５に示す報告書作成支援装置で表示される識別子設定画面の一例を示す画面表示図。
【符号の説明】
【０１０５】
１００，２００，３００…画像蓄積装置
１０１…画面表示部
１０２…画面情報格納部
１０３…画像記録部
１０４…画像データ格納部
１０５…識別子指定部
１０６…識別情報格納部
１０７…画像検索部
１０８，１１２，１２５…表示装置
１０９，１１３，１２６…入力装置
１１０…参照端末
１１１…検索要求部
１２０…統合データ蓄積装置
１２１…統合データ記録部
１２２…統合データ検索部
１２３…統合画像データ格納部
１２４…統合識別情報格納部
１３１…データ転送部
１３１…データ転送部
２０１…自動記録設定部
２０２…自動記録設定情報格納部
２０３…自動記録判定部
３０１…画像再生設定部
３０２…画像再生設定情報格納部
３０３…画像再生部
３０４…画像取込部
４００…報告書作成支援装置
４０１…報告書情報格納部
４０２…報告書作成部
４０３…プラントデータ格納部
４０４…プラントデータ保存部
４０５…プラントデータ読込部
【図１】
2005301836.tif 000003
【図２】
2005301836.tif 000004
【図３】
2005301836.tif 000005
【図４】
2005301836.tif 000006
【図５】
2005301836.tif 000007
【図６】
2005301836.tif 000008
【図７】
2005301836.tif 000009
【図８】
2005301836.tif 000010
【図９】
2005301836.tif 000011
【図１０】
2005301836.tif 000012
【図１１】
2005301836.tif 000013
【図１２】
2005301836.tif 000014
【図１３】
2005301836.tif 000015
【図１４】
2005301836.tif 000016
【図１５】
2005301836.tif 000017
【図１６】
2005301836.tif 000018
【図１７】
2005301836.tif 000019
【図１８】
2005301836.tif 000020
【図１９】
2005301836.tif 000021
【図２０】
2005301836.tif 000022
【図２１】
2005301836.tif 000023
【図２２】
2005301836.tif 000024
【図２３】
2005301836.tif 000025
【図２４】
2005301836.tif 000026
【図２５】
2005301836.tif 000027
【図２６】
2005301836.tif 000028
【図２７】
2005301836.tif 000029
【図２８】
2005301836.tif 000030
【図２９】
2005301836.tif 000031
【図３０】
2005301836.tif 000032
【図３１】
2005301836.tif 000033
【図３２】
2005301836.tif 000034
【図３３】
2005301836.tif 000035